(57)【要約】【課題】複数のユーザによって撮影されたそれぞれの画像の撮影位置を特定することができるようにする。【解決手段】画像再生装置３には、位置認識装置１Ａから、または位置認識装置１Ｂから送信されてきた位置情報と時刻情報が、それぞれの位置認識装置に設定されている個体識別情報と対応付けて記録される。例えば、個体識別情報が入力され、画像再生装置３に取り込まれた画像の再生が指示されたとき、再生対象の画像を取り込むときに入力されたものと同じ個体識別情報と対応付けて記録している位置情報と時刻情報が読み出され、読み出された位置情報により表される位置のうち、再生対象の画像に付加されている情報により表される撮影時刻と同じ時刻、または最も近い時刻に認識された位置が、再生対象の画像の撮影位置として特定される。本発明は、画像を取り込み、再生するホームサーバに適用することができる。【選択図】図１
2008277892.tif 000002
【特許請求の範囲】
【請求項１】
撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録する記録手段と、
再生対象の画像の撮影時刻を表す情報を取得する第１の取得手段と、
前記再生対象の画像の撮影時に前記撮影装置のユーザが携帯していた前記位置認識装置の識別情報を取得する第２の取得手段と、
前記第２の取得手段により取得された前記識別情報に対応付けて前記記録手段により記録されている位置情報により表される位置のうち、前記第１の取得手段により取得された情報により表される撮影時刻と同じ時刻、または最も近い時刻に認識された位置を、前記再生対象の画像の撮影位置として特定する特定手段と
を備える情報処理装置。
【請求項２】
前記撮影装置によって撮影された画像を取り込む取り込み手段をさらに備え、
前記第１の取得手段は、前記取り込み手段により取り込まれた画像の中から選択された前記再生対象の画像の撮影時刻を表す情報を取得する
請求項１に記載の情報処理装置。
【請求項３】
前記位置認識装置から送信された位置情報、時刻情報、および前記識別情報を受信する受信手段をさらに備え、
前記記録手段は、前記受信手段により受信された位置情報と時刻情報を、受信された前記識別情報と対応付けて記録する
請求項１に記載の情報処理装置。
【請求項４】
前記第１の取得手段は、前記撮影装置によって撮影された画像を取り込み、取り込んだ画像の再生を行う画像再生装置から送信された撮影時刻を表す情報を取得し、
前記第２の取得手段は、前記画像再生装置により取得され、前記画像再生装置から送信された前記識別情報を取得する
請求項１に記載の情報処理装置。
【請求項５】
前記特定手段により特定された撮影位置に関する情報を前記画像再生装置に送信する送信手段をさらに備える
請求項４に記載の情報処理装置。
【請求項６】
撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録し、
再生対象の画像の撮影時刻を表す情報を取得し、
前記再生対象の画像の撮影時に前記撮影装置のユーザが携帯していた前記位置認識装置の識別情報を取得し、
取得した前記識別情報に対応付けて記録している位置情報により表される位置のうち、取得した情報により表される撮影時刻と同じ時刻、または最も近い時刻に認識された位置を、前記再生対象の画像の撮影位置として特定する
ステップを含む情報処理方法。
【請求項７】
撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録し、
再生対象の画像の撮影時刻を表す情報を取得し、
前記再生対象の画像の撮影時に前記撮影装置のユーザが携帯していた前記位置認識装置の識別情報を取得し、
取得した前記識別情報に対応付けて記録している位置情報により表される位置のうち、取得した情報により表される撮影時刻と同じ時刻、または最も近い時刻に認識された位置を、前記再生対象の画像の撮影位置として特定する
ステップを含む処理をコンピュータに実行させるプログラム。
【請求項８】
情報処理装置と画像再生装置からなる情報処理システムにおいて、
前記情報処理装置は、
撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録する記録手段と、
前記画像再生装置から送信される、再生対象の画像の撮影時刻を表す情報を取得する第１の取得手段と、
前記画像再生装置から送信される、前記再生対象の画像の撮影時に前記撮影装置のユーザが携帯していた前記位置認識装置の識別情報を取得する第２の取得手段と、
前記第２の取得手段により取得された前記識別情報に対応付けて前記記録手段により記録されている位置情報により表される位置のうち、前記第１の取得手段により取得された情報により表される撮影時刻と同じ時刻、または最も近い時刻に認識された位置を、前記再生対象の画像の撮影位置として特定する特定手段と、
前記特定手段により特定された撮影位置に関する情報を前記画像再生装置に送信する第１の送信手段と
を備え、
前記画像再生装置は、
前記撮影装置によって撮影された画像を取り込む取り込み手段と、
前記取り込み手段により取り込まれた画像の中から選択された再生対象の画像の撮影時刻を表す情報を取得する第３の取得手段と、
前記撮影装置のユーザによる入力に基づいて、前記撮影装置のユーザが携帯していた前記位置認識装置の識別情報を取得する第４の取得手段と、
前記第３の取得手段により取得された撮影時刻を表す情報と、前記第４の取得手段により取得された前記識別情報を前記情報処理装置に送信する第２の送信手段と、
前記情報処理装置から送信された撮影位置に関する情報を受信する受信手段と
を備える情報処理システム。
【請求項９】
撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録する記録手段と、
再生対象の画像の撮影時刻を表す情報を取得する第１の取得手段と、
前記再生対象の画像の撮影時に前記撮影装置のユーザが携帯していた前記位置認識装置の識別情報を取得する第２の取得手段と、
前記第２の取得手段により取得された前記識別情報に対応付けて前記記録手段により記録されている位置情報により表される位置のうち、前記第１の取得手段により取得された情報により表される撮影時刻と同じ時刻、または最も近い時刻に認識された位置を、前記再生対象の画像の撮影位置として特定する特定手段と、
前記特定手段により特定された撮影位置に関する情報を送信する第１の送信手段と
を有する情報処理装置と情報の送受信を行う画像再生装置において、
前記撮影装置によって撮影された画像を取り込む取り込み手段と、
前記取り込み手段により取り込まれた画像の中から選択された再生対象の画像の撮影時刻を表す情報を取得する第３の取得手段と、
前記撮影装置のユーザによる入力に基づいて、前記撮影装置のユーザが携帯していた前記位置認識装置の識別情報を取得する第４の取得手段と、
前記第３の取得手段により取得された撮影時刻を表す情報と、前記第４の取得手段により取得された前記識別情報を前記情報処理装置に送信する第２の送信手段と、
前記情報処理装置から送信された撮影位置に関する情報を受信する受信手段と
を備える画像再生装置。
【発明の詳細な説明】
【技術分野】
【０００１】
本発明は、情報処理装置、情報処理方法、プログラム、情報処理システム、および画像再生装置に関し、特に、複数のユーザによって撮影されたそれぞれの画像の撮影位置を特定することができるようにした情報処理装置、情報処理方法、プログラム、情報処理システム、および画像再生装置に関する。
【背景技術】
【０００２】
デジタルカメラによって撮影された画像の撮影位置を認識する技術が各種提案されている。パーソナルコンピュータなどを用いて画像を見るときに、認識された撮影位置の情報があわせて表示されることにより、ユーザは、撮影時の状況などをより思い出しながら画像を見ることができる。
【０００３】
特許文献１には、画像撮影装置に記録されている撮影画像、撮影時刻の情報と、画像撮影装置とは独立した装置である位置認識装置に記録されている位置情報、時刻情報とを用い、時刻を基準として画像と位置情報を関連付ける技術が記載されている。
【特許文献１】特開２００２−３７４４４３号公報
【発明の開示】
【発明が解決しようとする課題】
【０００４】
画像の取込先となる１つの装置を複数のユーザが共有して使っている場合、上述したように、時刻を基準として画像と位置情報を関連付け、それぞれの画像の撮影位置を認識するものとすると、撮影位置が誤って認識されることがある。
【０００５】
例えば、ユーザＡとユーザＢが異なる場所で同じ時間帯に撮影を行い、１つの装置に、ユーザＡ，Ｂが撮影した画像と、ユーザＡ，Ｂが携帯していた位置認識装置に記録されている位置の情報、位置の認識が行われた時刻の情報が取り込まれた場合、ユーザＡが撮影した画像の撮影時刻に近い時刻にユーザＢが携帯していた位置認識装置により位置の認識が行われていたときには、ユーザＡが撮影した画像と、ユーザＢが携帯していた位置認識装置により認識された位置が関連付けられ、本来のユーザＡの撮影位置とは異なる位置が撮影位置として認識されることがある。
【０００６】
本発明はこのような状況に鑑みてなされたものであり、複数のユーザによって撮影されたそれぞれの画像の撮影位置を特定することができるようにするものである。
【課題を解決するための手段】
【０００７】
本発明の第１の側面の情報処理装置は、撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録する記録手段と、再生対象の画像の撮影時刻を表す情報を取得する第１の取得手段と、前記再生対象の画像の撮影時に前記撮影装置のユーザが携帯していた前記位置認識装置の識別情報を取得する第２の取得手段と、前記第２の取得手段により取得された前記識別情報に対応付けて前記記録手段により記録されている位置情報により表される位置のうち、前記第１の取得手段により取得された情報により表される撮影時刻と同じ時刻、または最も近い時刻に認識された位置を、前記再生対象の画像の撮影位置として特定する特定手段とを備える。
【０００８】
前記撮影装置によって撮影された画像を取り込む取り込み手段をさらに設けることができる。この場合、前記第１の取得手段には、前記取り込み手段により取り込まれた画像の中から選択された前記再生対象の画像の撮影時刻を表す情報を取得させることができる。
【０００９】
前記位置認識装置から送信された位置情報、時刻情報、および前記識別情報を受信する受信手段をさらに設けることができる。この場合、前記記録手段には、前記受信手段により受信された位置情報と時刻情報を、受信された前記識別情報と対応付けて記録させることができる。
【００１０】
前記第１の取得手段には、前記撮影装置によって撮影された画像を取り込み、取り込んだ画像の再生を行う画像再生装置から送信された撮影時刻を表す情報を取得させ、前記第２の取得手段には、前記画像再生装置により取得され、前記画像再生装置から送信された前記識別情報を取得させることができる。
【００１１】
前記特定手段により特定された撮影位置に関する情報を前記画像再生装置に送信する送信手段をさらに設けることができる。
【００１２】
本発明の第１の側面の情報処理方法またはプログラムは、撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録し、再生対象の画像の撮影時刻を表す情報を取得し、前記再生対象の画像の撮影時に前記撮影装置のユーザが携帯していた前記位置認識装置の識別情報を取得し、取得した前記識別情報に対応付けて記録している位置情報により表される位置のうち、取得した情報により表される撮影時刻と同じ時刻、または最も近い時刻に認識された位置を、前記再生対象の画像の撮影位置として特定するステップを含む。
【００１３】
本発明の第２の側面の情報処理システムは、情報処理装置と画像再生装置からなる情報処理システムにおいて、前記情報処理装置が、撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録する記録手段と、前記画像再生装置から送信される、再生対象の画像の撮影時刻を表す情報を取得する第１の取得手段と、前記画像再生装置から送信される、前記再生対象の画像の撮影時に前記撮影装置のユーザが携帯していた前記位置認識装置の識別情報を取得する第２の取得手段と、前記第２の取得手段により取得された前記識別情報に対応付けて前記記録手段により記録されている位置情報により表される位置のうち、前記第１の取得手段により取得された情報により表される撮影時刻と同じ時刻、または最も近い時刻に認識された位置を、前記再生対象の画像の撮影位置として特定する特定手段と、前記特定手段により特定された撮影位置に関する情報を前記画像再生装置に送信する第１の送信手段とを備える。
【００１４】
また、前記画像再生装置が、前記撮影装置によって撮影された画像を取り込む取り込み手段と、前記取り込み手段により取り込まれた画像の中から選択された再生対象の画像の撮影時刻を表す情報を取得する第３の取得手段と、前記撮影装置のユーザによる入力に基づいて、前記撮影装置のユーザが携帯していた前記位置認識装置の識別情報を取得する第４の取得手段と、前記第３の取得手段により取得された撮影時刻を表す情報と、前記第４の取得手段により取得された前記識別情報を前記情報処理装置に送信する第２の送信手段と、前記情報処理装置から送信された撮影位置に関する情報を受信する受信手段とを備える。
【００１５】
本発明の第３の側面の画像再生装置は、情報処理装置と情報の送受信を行う画像再生装置において、撮影装置によって撮影された画像を取り込む取り込み手段と、前記取り込み手段により取り込まれた画像の中から選択された再生対象の画像の撮影時刻を表す情報を取得する第３の取得手段と、前記撮影装置のユーザによる入力に基づいて、前記撮影装置のユーザが携帯していた位置認識装置の識別情報を取得する第４の取得手段と、前記第３の取得手段により取得された撮影時刻を表す情報と、前記第４の取得手段により取得された前記識別情報を前記情報処理装置に送信する第２の送信手段と、前記情報処理装置から送信された撮影位置に関する情報を受信する受信手段とを備える。
【００１６】
本発明の第１の側面においては、撮影装置を用いて撮影を行うユーザが携帯する位置認識装置により認識された位置を表す位置情報と、位置の認識が行われた時刻を表す時刻情報が、前記位置認識装置に設定された識別情報と対応付けて記録され、再生対象の画像の撮影時刻を表す情報が取得され、前記再生対象の画像の撮影時に前記撮影装置のユーザが携帯していた前記位置認識装置の識別情報が取得される。また、取得された前記識別情報に対応付けて記録されている位置情報により表される位置のうち、取得された情報により表される撮影時刻と同じ時刻、または最も近い時刻に認識された位置が、前記再生対象の画像の撮影位置として特定される。
【００１７】
本発明の第２の側面においては、情報処理装置において、撮影装置を用いて撮影を行うユーザが携帯する位置認識装置により認識された位置を表す位置情報と、位置の認識が行われた時刻を表す時刻情報が、前記位置認識装置に設定された識別情報と対応付けて記録され、画像再生装置から送信される、再生対象の画像の撮影時刻を表す情報が取得され、前記画像再生装置から送信される、前記再生対象の画像の撮影時に前記撮影装置のユーザが携帯していた前記位置認識装置の識別情報が取得される。また、取得された前記識別情報に対応付けて記録されている位置情報により表される位置のうち、取得された情報により表される撮影時刻と同じ時刻、または最も近い時刻に認識された位置が、前記再生対象の画像の撮影位置として特定され、特定された撮影位置に関する情報が前記画像再生装置に送信される。
【００１８】
一方、前記画像再生装置において、前記撮影装置によって撮影された画像が取り込まれ、取り込まれた画像の中から選択された再生対象の画像の撮影時刻を表す情報が取得され、前記撮影装置のユーザによる入力に基づいて、前記撮影装置のユーザが携帯していた前記位置認識装置の識別情報が取得される。また、取得された撮影時刻を表す情報と、取得された前記識別情報が前記情報処理装置に送信され、前記情報処理装置から送信された撮影位置に関する情報が受信される。
【００１９】
本発明の第３の側面においては、撮影装置によって撮影された画像が取り込まれ、取り込まれた画像の中から選択された再生対象の画像の撮影時刻を表す情報が取得され、前記撮影装置のユーザによる入力に基づいて、前記撮影装置のユーザが携帯していた位置認識装置の識別情報が取得される。また、取得された撮影時刻を表す情報と、取得された前記識別情報が情報処理装置に送信され、前記情報処理装置から送信された撮影位置に関する情報が受信される。
【発明の効果】
【００２０】
本発明によれば、複数のユーザによって撮影されたそれぞれの画像の撮影位置を特定することができる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２２】
本発明の第１の側面の情報処理装置（例えば、図１の画像再生装置３、図１１の位置情報記録装置８１）は、撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録する記録手段（例えば、図４の位置記録部３５−１、図１３の位置記録部９３−１）と、再生対象の画像の撮影時刻を表す情報を取得する第１の取得手段（例えば、図４の撮影時刻情報取得部５４、図１３の撮影時刻情報取得部１１２）と、前記再生対象の画像の撮影時に前記撮影装置のユーザが携帯していた前記位置認識装置の識別情報を取得する第２の取得手段（例えば、図４の個体識別情報取得部５３、図１３の個体識別情報取得部１１３）と、前記第２の取得手段により取得された前記識別情報に対応付けて前記記録手段により記録されている位置情報により表される位置のうち、前記第１の取得手段により取得された情報により表される撮影時刻と同じ時刻、または最も近い時刻に認識された位置を、前記再生対象の画像の撮影位置として特定する特定手段（例えば、図４の撮影位置特定部５５、図１３の撮影位置特定部１１４）とを備える。
【００２３】
この情報処理装置には、前記撮影装置によって撮影された画像を取り込む取り込み手段（例えば、図４の画像取り込み部５２）をさらに設けることができる。
【００２４】
前記位置認識装置から送信された位置情報、時刻情報、および前記識別情報を受信する受信手段（例えば、図３の受信部３４−２、図１２の受信部９２−２）をさらに設けることができる。
【００２５】
前記特定手段により特定された撮影位置に関する情報を前記画像再生装置に送信する送信手段（例えば、図１３の撮影位置情報生成部１１５）をさらに設けることができる。
【００２６】
本発明の第１の側面の情報処理方法またはプログラムは、撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録し、再生対象の画像の撮影時刻を表す情報を取得し、前記再生対象の画像の撮影時に前記撮影装置のユーザが携帯していた前記位置認識装置の識別情報を取得し、取得した前記識別情報に対応付けて記録している位置情報により表される位置のうち、取得した情報により表される撮影時刻と同じ時刻、または最も近い時刻に認識された位置を、前記再生対象の画像の撮影位置として特定するステップ（例えば、図９のステップＳ３３、図１７のステップＳ６３）を含む。
【００２７】
本発明の第２の側面の情報処理システム（例えば、図１１の情報処理システム）は、情報処理装置（例えば、図１１の位置情報記録装置８１）と画像再生装置（例えば、図１１の画像再生装置３）からなる情報処理システムにおいて、前記情報処理装置は、撮影装置を用いて撮影を行うユーザが携帯する位置認識装置により認識された位置を表す位置情報と、位置の認識が行われた時刻を表す時刻情報を、前記位置認識装置に設定された識別情報と対応付けて記録する記録手段（例えば、図１３の位置記録部９３−１）と、前記画像再生装置から送信される、再生対象の画像の撮影時刻を表す情報を取得する第１の取得手段（例えば、図１３の撮影時刻情報取得部１１２）と、前記画像再生装置から送信される、前記再生対象の画像の撮影時に前記撮影装置のユーザが携帯していた前記位置認識装置の識別情報を取得する第２の取得手段（例えば、図１３の個体識別情報取得部１１３）と、前記第２の取得手段により取得された前記識別情報に対応付けて前記記録手段により記録されている位置情報により表される位置のうち、前記第１の取得手段により取得された情報により表される撮影時刻と同じ時刻、または最も近い時刻に認識された位置を、前記再生対象の画像の撮影位置として特定する特定手段（例えば、図１３の撮影位置特定部１１４）と、前記特定手段により特定された撮影位置に関する情報を前記画像再生装置に送信する第１の送信手段（例えば、図１３の撮影位置情報生成部１１５）とを備える。
【００２８】
また、前記画像再生装置は、前記撮影装置によって撮影された画像を取り込む取り込み手段（例えば、図１５の画像取り込み部１２１）と、前記取り込み手段により取り込まれた画像の中から選択された再生対象の画像の撮影時刻を表す情報を取得する第３の取得手段（例えば、図１５の撮影時刻情報取得部１２４）と、前記撮影装置のユーザによる入力に基づいて、前記撮影装置のユーザが携帯していた前記位置認識装置の識別情報を取得する第４の取得手段（例えば、図１５の個体識別情報取得部１２２）と、前記第３の取得手段により取得された撮影時刻を表す情報と、前記第４の取得手段により取得された前記識別情報を前記情報処理装置に送信する第２の送信手段（例えば、図１５の情報生成部１２３）と、前記情報処理装置から送信された撮影位置に関する情報を受信する受信手段（例えば、図１５の位置情報取得部１２５）とを備える。
【００２９】
本発明の第３の側面の画像再生装置は、情報処理装置と情報の送受信を行う画像再生装置において、撮影装置によって撮影された画像を取り込む取り込み手段（例えば、図１５の画像取り込み部１２１）と、前記取り込み手段により取り込まれた画像の中から選択された再生対象の画像の撮影時刻を表す情報を取得する第３の取得手段（例えば、図１５の撮影時刻情報取得部１２４）と、前記撮影装置のユーザによる入力に基づいて、前記撮影装置のユーザが携帯していた位置認識装置の識別情報を取得する第４の取得手段（例えば、図１５の個体識別情報取得部１２２）と、前記第３の取得手段により取得された撮影時刻を表す情報と、前記第４の取得手段により取得された前記識別情報を前記情報処理装置に送信する第２の送信手段（例えば、図１５の情報生成部１２３）と、前記情報処理装置から送信された撮影位置に関する情報を受信する受信手段（例えば、図１５の位置情報取得部１２５）とを備える。
【００３０】
以下、本発明の実施の形態について図を参照して説明する。
【００３１】
図１は、本発明の一実施形態に係る情報処理システムの構成例を示す図である。
【００３２】
図１の情報処理システムは、位置認識装置１Ａおよび１Ｂ、デジタルカメラ２Ａおよび２Ｂ、画像再生装置３、テレビジョン受像機４から構成される。図１の例においては、位置認識装置１Ａとデジタルカメラ２ＡはユーザＡが有し、位置認識装置１Ｂとデジタルカメラ２ＢはユーザＢが有している。画像再生装置３にはテレビジョン受像機４が接続されている。
【００３３】
位置認識装置１Ａは、例えば、GPS(Global Positioning System)などによる位置認識機能を搭載した携帯電話機である。位置認識装置１Ａは、ユーザＡにより携帯され、ユーザＡがデジタルカメラ２Ａを用いて撮影を行う間、位置認識装置１Ａ（ユーザＡ）の位置を認識する。
【００３４】
位置認識装置１Ａは、認識した位置を表す位置情報と、位置の認識を行った時刻を表す時刻情報を内部のメモリに一時的に記録し、所定のタイミングで、記録している情報を、位置認識装置１Ａに設定されている個体識別情報とともにネットワークを介して画像再生装置３に送信する。位置認識装置１Ａは携帯電話機であるから、他の携帯電話機との通話機能や、ネットワークを介して接続される他の装置との通信機能も有している。
【００３５】
個体識別情報として、例えば、位置認識装置１Ａに割り当てられている電話番号、電子メールアドレスが用いられる。位置情報、時刻情報、および個体識別情報の送信先としての画像再生装置３を指定するIPアドレス、電子メールアドレスなどの情報は、ユーザＡによりあらかじめ設定されている。
【００３６】
デジタルカメラ２Ａは、ユーザＡによる操作に応じて撮影を行い、撮影して得られた画像を内部のメモリに記録する。記録された画像は、例えば、デジタルカメラ２Ａと画像再生装置３がUSB(Universal Serial Bus)ケーブルを介して接続されたとき、画像再生装置３に取り込まれる。
【００３７】
位置認識装置１Ｂも同様に位置認識機能を搭載した携帯電話機である。位置認識装置１Ｂは、ユーザＢにより携帯され、ユーザＢがデジタルカメラ２Ｂを用いて撮影を行う間、位置認識装置１Ｂ（ユーザＢ）の位置を認識する。
【００３８】
位置認識装置１Ｂは、認識した位置を表す位置情報と、位置の認識を行った時刻を表す時刻情報を内部のメモリに一時的に記録し、所定のタイミングで、記録している情報を、位置認識装置１Ｂに設定されている個体識別情報とともにネットワークを介して画像再生装置３に送信する。
【００３９】
デジタルカメラ２Ｂも、ユーザＢによる操作に応じて撮影を行い、撮影して得られた画像を内部のメモリに記録する。記録された画像は、デジタルカメラ２Ｂと画像再生装置３が接続されたとき、画像再生装置３に取り込まれる。
【００４０】
画像再生装置３は、ユーザＡとユーザＢの自宅内に設置されるホームサーバであり、テレビジョン受像機４だけでなく、ネットワークにも接続される。
【００４１】
画像再生装置３は、位置情報、時刻情報、および個体識別情報が位置認識装置１Ａから、または位置認識装置１Ｂからネットワークを介して送信されてくる毎に受信し、受信した位置情報と時刻情報を、個体識別情報と対応付けて内部のハードディスクに記録する。画像再生装置３内のハードディスクには、撮影を行っているユーザＡの位置とユーザＢの位置を表す情報が順次記録されていくことになる。
【００４２】
また、画像再生装置３は、撮影を終えたユーザＡにより、USBケーブルなどを介してデジタルカメラ２Ａが接続されたとき、デジタルカメラ２Ａに記録されている画像を取り込み、ハードディスクに記録する。取り込んだ画像には、EXIF(Exchangeable Image File Format)などの所定のフォーマットに従って、撮影時刻の情報も付加されている。
【００４３】
例えば、画像再生装置３に画像を取り込むとき、ユーザＡに対しては、ユーザＡが撮影時に携帯していた位置認識装置１Ａの個体識別情報を入力することが求められる。画像再生装置３は、ユーザにより入力された電話番号などの個体識別情報を、取り込んだ画像とともに記録する。
【００４４】
画像再生装置３は、画像を再生することがユーザＡにより指示されたとき、位置認識装置１Ａから送信されてきていた位置情報と時刻情報のうち、再生対象の画像を取り込むときに入力されたものと同じ個体識別情報と対応付けて記録している位置情報と時刻情報を読み出し、読み出した位置情報により表される位置のうち、再生対象の画像に付加されている情報により表される撮影時刻と同じ時刻、または最も近い時刻に認識された位置を、再生対象の画像の撮影位置として特定する。
【００４５】
画像再生装置３は、特定した撮影位置に関する情報を、再生対象の画像とともにテレビジョン受像機４に表示させる。撮影位置の緯度経度、撮影位置を地図上で表す所定の範囲の地図などが撮影位置に関する情報としてテレビジョン受像機４に表示される。
【００４６】
画像再生装置３は、ユーザＢによりデジタルカメラ２Ｂが接続されたときも同様に、デジタルカメラ２Ｂに記録されている画像を取り込み、ハードディスクに記録する。また、画像再生装置３は、ユーザＢにより入力された個体識別情報を画像とともに記録する。
【００４７】
画像再生装置３は、画像を再生することがユーザＢにより指示されたとき、位置認識装置１Ｂから送信されてきていた位置情報と時刻情報のうち、再生対象の画像を取り込むときに入力されたものと同じ個体識別情報と対応付けて記録している位置情報と時刻情報を読み出し、読み出した位置情報により表される位置のうち、再生対象の画像に付加されている情報により表される撮影時刻と同じ時刻、または最も近い時刻に認識された位置を、再生対象の画像の撮影位置として特定する。
【００４８】
画像再生装置３は、特定した撮影位置に関する情報を、再生対象の画像とともにテレビジョン受像機４に表示させる。
【００４９】
このように、時刻だけでなく、位置認識装置１Ａ，１Ｂの個体識別情報をも基準として画像の撮影位置を特定するようにしたため、ユーザＡとユーザＢといったように、複数のユーザによって使用され、複数のユーザによりそれぞれ撮影された画像を取り込んでいる場合であっても、画像再生装置３は、それぞれの画像の撮影位置を正しく特定することができる。
【００５０】
例えば、個体識別情報を用いることなく、時刻だけを基準として画像の撮影位置が特定されるとした場合、ハードディスクに記録されている情報によって表される位置のうち、単に、撮影時刻と同じ時刻、または最も近い時刻に認識された位置が画像の撮影位置として特定されることになる。この場合、ユーザＡとユーザＢが同じ時間帯に撮影を行っており、それぞれ異なる位置を表す情報が同じ時刻に認識されていたときには、ユーザＡによって撮影された画像の撮影位置としてユーザＢが携帯していた位置認識装置により認識された位置が選択されたり、反対に、ユーザＢによって撮影された画像の撮影位置としてユーザＡが携帯していた位置認識装置により認識された位置が選択されたりするといったことが起こることがあるが、個体識別情報をも基準として撮影位置が特定されるようにすることにより、このような撮影位置の誤った認識を防ぐことが可能となる。
【００５１】
画像再生装置３により撮影位置の特定が行われるまでの図１の情報処理システムの一連の処理についてはフローチャートを参照して後述する。
【００５２】
図２は、図１の位置認識装置１Ａの構成例を示すブロック図である。ユーザＢが携帯する位置認識装置１Ｂも同様の構成を有している。
【００５３】
個体識別情報保持部１１は個体識別情報を保持する。ユーザＡの名前などの、電話番号や電子メールアドレス以外の情報が個体識別情報として個体識別情報保持部１１により保持されるようにしてもよい。
【００５４】
送信部１２は、制御部１３から供給された位置情報、時刻情報を、個体識別情報保持部１１が保持する個体識別情報とともに画像再生装置３に送信する。例えば、送信部１２は、電子メールによって、あるいは、TCP/IP(Transmission Control Protocol/Internet Protocol)による通信によって、これらの情報を画像再生装置３に送信する。
【００５５】
電子メールによって情報を送信する場合、送信部１２に対しては、画像再生装置３を指定する電子メールアドレスが制御部１３から供給され、TCP/IPによる通信によって情報を送信する場合、送信部１２に対しては、画像再生装置３を指定するIPアドレスが制御部１３から供給される。
【００５６】
制御部１３は、位置認識部１４により認識された位置を表す位置情報を、そのとき時計１５によって計測されている時刻を表す時刻情報とともに一時記録部１７に出力し、一時的に記録させる。
【００５７】
また、制御部１３は、一時記録部１７に記録された位置情報、時刻情報の量が一定の量になったときなどの所定のタイミングで、位置情報と時刻情報を一時記録部１７から読み出す。制御部１３は、読み出した位置情報と時刻情報を、設定情報保持部１６により保持されている電子メールアドレス、IPアドレスなどの画像再生装置３を指定する情報とともに送信部１２に出力し、画像再生装置３に送信させる。
【００５８】
位置認識部１４は、所定の時間が経過する毎に、あるいは、所定の距離だけ移動する毎に、そのときの位置を認識し、認識した位置を表す位置情報を制御部１３に出力する。
【００５９】
位置認識部１４による位置の認識は、GPSを利用して行われるようにしてもよいし、位置認識装置１ＡがGPS機能を有していない装置である場合、通信可能な基地局との距離に基づいて三角測量などの方法を利用して行われるようにしてもよい。GPSを利用して位置の認識が行われた場合、緯度経度を表す情報が位置情報として制御部１３に出力され、三角測量などの方法を利用して位置の認識が行われた場合、基地局との相対的な位置を表す情報が位置情報として制御部１３に出力される。
【００６０】
時計１５は時刻を計測する。時計１５が計測する時刻は制御部１３により適宜読み取られる。
【００６１】
設定情報保持部１６は、画像再生装置３の電子メールアドレス、IPアドレスなどの、ユーザＡによりあらかじめ設定された情報を保持する。
【００６２】
位置認識装置１Ａには、図２に示される構成の他に、通話機能を実現する構成なども設けられる。
【００６３】
図３は、図１の画像再生装置３の構成例を示すブロック図である。
【００６４】
以下、適宜、位置認識装置１Ａと位置認識装置１Ｂを区別する必要がない場合、まとめて、位置認識装置１といい、デジタルカメラ２Ａとデジタルカメラ２Ｂを区別する必要がない場合、まとめて、デジタルカメラ２という。ユーザＡとユーザＢを区別する必要がない場合、まとめて、ユーザという。
【００６５】
入力部３１は、リモートコントローラの受光部やUSB端子などにより構成される。入力部３１は、リモートコントローラからの信号を受光し、ユーザの操作に対応する信号を制御部３３に出力する。リモートコントローラを用いて、個体識別情報や画像の再生の指示などがユーザにより入力される。また、入力部３１には、USBケーブルを介してデジタルカメラ２が接続される。
【００６６】
表示部３２は、制御部３３による制御に従って、画像などをテレビジョン受像機４に表示させる。
【００６７】
制御部３３は、画像再生装置３の全体の動作を制御する。
【００６８】
例えば、制御部３３は、位置認識装置１から送信されてきた位置情報、時刻情報、個体識別情報が受信部３４−２において受信されたとき、受信された位置情報、時刻情報を、個体識別情報と対応付けて記録部３５の位置記録部３５−１に記録させる。
【００６９】
また、制御部３３は、デジタルカメラ２が接続されたとき、デジタルカメラ２に記録されている画像を入力部３１を制御して取り込み、ユーザにより入力された個体識別情報とともに画像記録部３５−２に記録させる。制御部３３は、画像記録部３５−２に記録されている画像の中から所定の画像を再生することが指示されたとき、再生対象の画像の撮影位置を、再生対象の画像の撮影時刻の情報、再生対象の画像を取り込むときに入力された個体識別情報、位置記録部３５−１に記録されている情報に基づいて特定する。
【００７０】
制御部３３は、ユーザの指示に応じて画像を再生し、再生した画像を表示部３２を制御してテレビジョン受像機４に表示させる。制御部３３は、適宜、再生対象の画像の撮影位置として特定した位置を含む所定の範囲の地図情報を地図記録部３５−３から読み出し、再生位置に関する情報として画像とともに表示させる。
【００７１】
通信部３４は送信部３４−１と受信部３４−２から構成される。
【００７２】
送信部３４−１は、制御部３３による制御に従って各種の情報を他の装置に送信する。
【００７３】
受信部３４−２は、位置認識装置１から送信されてきた位置情報、時刻情報、個体識別情報を受信し、受信した情報を制御部３３に出力する。
【００７４】
記録部３５はハードディスクなどよりなり、位置記録部３５−１、画像記録部３５−２、地図記録部３５−３から構成される。
【００７５】
位置記録部３５−１は、制御部３３から供給される毎に、位置情報、時刻情報を個体識別情報と対応付けて記録する。位置記録部３５−１に記録されている情報は、再生対象の画像の撮影位置を特定するときに制御部３３により読み出される。
【００７６】
画像記録部３５−２は、デジタルカメラ２から取り込まれ、制御部３３を介して供給された画像と、画像を取り込むときにユーザにより入力された個体識別情報を記録する。
【００７７】
地図記録部３５−３は地図情報を記録する。地図記録部３５−３に記録されている地図情報は、撮影位置を示した地図を画像の撮影位置に関する情報として表示させるときに用いられる。
【００７８】
図４は、画像再生装置３の機能構成例を示すブロック図である。図４に示す機能部のうちの少なくとも一部は、図３の制御部３３により所定のプログラムが実行されることによって実現される。図４には、図３の記録部３５の構成も示されている。
【００７９】
図４に示されるように、画像再生装置３においては、位置情報取得部５１、画像取り込み部５２、個体識別情報取得部５３、撮影時刻情報取得部５４、撮影位置特定部５５、および画像再生部５６が実現される。
【００８０】
位置情報取得部５１は、位置認識装置１から送信され、受信部３４−２において受信された位置情報、時刻情報、個体識別情報を取得し、位置情報、時刻情報を個体識別情報と対応付けて位置記録部３５−１に記録させる。
【００８１】
図５は、位置記録部３５−１に記録される情報の例を示す図である。
【００８２】
図５の例においては、個体識別情報としての識別情報Ａに対応付けられた５つの位置情報と時刻情報、識別情報Ｂに対応付けられた５つの位置情報と時刻情報が示されている。識別情報ＡはユーザＡが携帯する位置認識装置１Ａの個体識別情報であり、識別情報ＢはユーザＢが携帯する位置認識装置１Ｂの個体識別情報である。
【００８３】
識別情報Ａに対応付けられている１つ目の情報である「Ｎ１  Ｅ１」の位置情報は、左隣の「２００７０４０１１５３０」の時刻情報によって表される２００７年４月１日１５時３０分に認識された緯度経度を表す。識別情報Ａに対応付けられている他の位置情報も同様に、左隣の時刻情報によって表される時刻に認識された緯度経度を表す。
【００８４】
識別情報Ｂに対応付けられている１つ目の情報である「Ｎ１１  Ｅ１１」の位置情報は、左隣の「２００７０４０１１５４０」の時刻情報によって表される２００７年４月１日１５時４０分に認識された緯度経度を表す。識別情報Ｂに対応付けられている他の位置情報も同様に、左隣の時刻情報によって表される時刻に認識された緯度経度を表す。
【００８５】
このように、位置記録部３５−１には、個体識別情報に対応付けられた形で位置情報と時刻情報が記録される。
【００８６】
図４の説明に戻り、画像取り込み部５２は、画像再生装置３に接続されたデジタルカメラ２に記録されている画像を取り込み、取り込んだ画像を画像記録部３５−２に記録させる。
【００８７】
個体識別情報取得部５３は、画像の取り込み時に入力された個体識別情報を入力部３１から供給される信号に基づいて取得し、取得した個体識別情報を画像とともに画像記録部３５−２に記録させる。ユーザは、画像を画像再生装置３に取り込むとき、撮影時に自身が携帯していた位置認識装置１の個体識別情報をリモートコントローラを操作するなどして入力する必要がある。位置情報、時刻情報と対応付けて位置記録部３５−１に記録されている全ての個体識別情報がテレビジョン受像機４に表示され、その中からユーザにより選択された個体識別情報が個体識別情報取得部５３により取得されるようにしてもよい。
【００８８】
撮影時刻情報取得部５４は、画像の再生を指示することを表す信号が入力部３１から供給されたとき、再生対象の画像の撮影時刻の情報と、その画像を取り込むときにユーザにより入力された個体識別情報を画像記録部３５−２から取得し、取得した情報を撮影位置特定部５５に出力する。撮影時刻の情報は、画像記録部３５−２に記録されているそれぞれの画像に付加されている。
【００８９】
撮影位置特定部５５は、撮影時刻情報取得部５４から供給された個体識別情報、再生対象の画像の撮影時刻の情報、および、位置記録部３５−１に記録されている位置情報、時刻情報、個体識別情報に基づいて、再生対象の画像の撮影位置を特定する。
【００９０】
具体的には、撮影位置特定部５５は、撮影時刻情報取得部５４から供給されたものと同じ個体識別情報に対応付けて記録されている位置情報と時刻情報を位置記録部３５−１から読み出し、読み出した時刻情報と、撮影時刻情報取得部５４から供給された、再生対象の画像の撮影時刻の情報とのマッチングを行う。
【００９１】
撮影位置特定部５５は、再生対象の画像の撮影時刻と同じ時刻、または最も近い時刻を表す時刻情報を選択し、位置記録部３５−１から読み出した位置情報により表される位置のうち、選択した時刻情報によって表される時刻に認識された位置を、再生対象の画像の撮影位置として特定する。
【００９２】
例えば、図５に示される各情報が位置記録部３５−１に記録されている場合において、再生対象の画像の取り込み時にユーザにより入力された個体識別情報として識別情報Ａが撮影時刻情報取得部５４から供給されたとき、撮影位置特定部５５は、識別情報Ａに対応付けて記録されている、図５の上から５つの位置情報と時刻情報を位置記録部３５−１から読み出す。
【００９３】
撮影位置特定部５５は、読み出した時刻情報と、撮影時刻情報取得部５４から供給された再生対象の画像の撮影時刻の情報とのマッチングを行い、例えば、再生対象の画像の撮影時刻が２００７年４月１日１５時３０分である場合、撮影時刻と同じ時刻を表す「２００７０４０１１５３０」の時刻情報を選択し、選択した時刻情報によって表される２００７年４月１日１５時３０分に認識された「Ｎ１  Ｅ１」を、再生対象の画像の撮影位置として特定する。
【００９４】
また、撮影位置特定部５５は、再生対象の画像の撮影時刻が２００７年４月１日１５時４１分である場合、撮影時刻に最も近い時刻を表す「２００７０４０１１５４０」の時刻情報を選択し、選択した時刻情報によって表される２００７年４月１日１５時４０分に認識された「Ｎ３  Ｅ３」を、再生対象の画像の撮影位置として特定する。
【００９５】
位置記録部３５−１には、個体識別情報に対応付けられた形で位置情報と時刻情報が記録されているから、撮影位置特定部５５は、ある同じ時刻に認識された位置を表す情報が複数ある場合であっても、それがどのユーザの位置を表しているのかを判別することができ、それぞれのユーザによって撮影された画像の撮影位置を特定することが可能となる。
【００９６】
例えば、図５の例においては、２００７年４月１日１５時４０分に認識された位置情報として「Ｎ３  Ｅ３」と「Ｎ１１  Ｅ１１」の２つの位置情報が記録されているが、上述したように、識別情報Ａがユーザにより入力されていることにより、撮影位置特定部５５は、２００７年４月１日１５時４１分に撮影された画像の撮影位置として、撮影時刻に最も近い時刻に認識された「Ｎ３  Ｅ３」と「Ｎ１１  Ｅ１１」の２つの位置情報のうち、識別情報Ａに対応付けて記録されている方の位置情報により表される「Ｎ３  Ｅ３」を、再生対象の画像の撮影位置として特定することが可能となる。
【００９７】
撮影位置特定部５５は、このようにして特定した撮影位置の情報を画像再生部５６に出力する。
【００９８】
画像再生部５６は、画像の再生を指示することを表す信号が入力部３１から供給されたとき、再生対象の画像を画像記録部３５−２から読み出して再生し、再生した画像を表示部３２を制御してテレビジョン受像機４に表示させる。
【００９９】
また、画像再生部５６は、撮影位置特定部５５により特定された撮影位置を含む所定の範囲の地図情報を地図記録部３５−３から読み出し、撮影位置にマークなどを付した地図を、撮影位置に関する情報としてテレビジョン受像機４に表示させる。
【０１００】
次に、以上のような構成を有する各装置の処理について説明する。
【０１０１】
はじめに、図６のフローチャートを参照して、位置の認識を行う位置認識装置１の処理について説明する。
【０１０２】
この処理は、例えば、デジタルカメラ２を用いて撮影を行っているユーザが位置認識装置１の位置認識機能をオンにしたときに開始される。
【０１０３】
ステップＳ１において、位置認識部１４は、位置の認識を行うか否かを判定し、位置の認識を行うと判定するまで待機する。
【０１０４】
例えば、直近の認識を行ってから所定の時間が経過したことから、位置の認識を行うとステップＳ１において判定した場合、位置認識部１４は、ステップＳ２において、GPSを利用するなどして位置の認識を行う。位置認識部１４は、認識した位置を表す位置情報を制御部１３に出力する。
【０１０５】
ステップＳ３において、制御部１３は、位置認識部１４から供給された位置情報を、時計１５が計測する時刻を表す時刻情報とともに一時記録部１７に出力し、記録させる。
【０１０６】
ステップＳ４において、制御部１３は、一時記録部１７に記録させている位置情報、時刻情報を画像再生装置３に送信するか否かを判定する。
【０１０７】
例えば、一時記録部１７に記録された位置情報、時刻情報の量が一定の量になっていないことから、位置情報、時刻情報を画像再生装置３に送信しないとステップＳ４において判定された場合、ステップＳ１に戻り、同様の処理が繰り返される。位置情報、時刻情報を画像再生装置３に送信すると判定されるまで位置の認識が繰り返し行われ、位置情報、時刻情報が一時記録部１７に順次記録される。
【０１０８】
一方、一時記録部１７に記録された位置情報、時刻情報の量が一定の量になったことから、位置情報、時刻情報を画像再生装置３に送信するとステップＳ４において判定した場合、ステップＳ５において、制御部１３は、位置情報、時刻情報を一時記録部１７から読み出して送信部１２に出力し、個体識別情報保持部１１が保持する個体識別情報とともに画像再生装置３に送信させる。このとき、制御部１３は、設定情報保持部１６が保持する画像再生装置３の電子メールアドレス、IPアドレスなどの情報を送信部１２に出力し、出力した情報に基づいて、位置情報などを画像再生装置３に送信させる。
【０１０９】
その後、ステップＳ１に戻り、同様の処理が繰り返される。例えば、撮影を終えたことから、ユーザが位置認識装置１の位置認識機能をオフにしたとき、処理は終了される。
【０１１０】
ここでは、一時記録部１７に記録された一定の量の位置情報、時刻情報が画像再生装置３にまとめて送信されるものとしたが、位置の認識が行われる毎に、位置情報と時刻情報と個体識別情報が、順次、画像再生装置３に送信されるようにしてもよい。
【０１１１】
次に、図７のフローチャートを参照して、位置認識装置１から送信されてきた位置情報などを受信する画像再生装置３の処理について説明する。図７の処理は、図６の処理に対応して行われる。
【０１１２】
ステップＳ１１において、通信部３４の受信部３４−２は、位置情報、時刻情報、個体識別情報が位置認識装置１から送信されてきたか否かを判定し、送信されてきたと判定するまで待機する。
【０１１３】
位置情報、時刻情報、個体識別情報が位置認識装置１から送信されてきたとステップＳ１１において判定した場合、ステップＳ１２において、受信部３４−２は、送信されてきたそれらの情報を受信する。
【０１１４】
ステップＳ１３において、位置情報取得部５１（図４）は、受信部３４−２において受信された位置情報、時刻情報、個体識別情報を取得し、取得した位置情報と時刻情報を、個体識別情報と対応付けて位置記録部３５−１に記録させる。
【０１１５】
その後、ステップＳ１１に戻り、同様の処理が繰り返される。位置認識装置１から送信されてくる毎に、位置情報と時刻情報が個体識別情報と対応付けて記録され、位置記録部３５−１には図５に示されるようなデータベースが構築される。
【０１１６】
次に、図８のフローチャートを参照して、画像を取り込む画像再生装置３の処理について説明する。
【０１１７】
この処理は、例えば、USBケーブルを介してデジタルカメラ２が入力部３１に接続され、画像の取り込みを開始することが指示されたときに開始される。
【０１１８】
ステップＳ２１において、画像取り込み部５２は、デジタルカメラ２に記録されている画像を取り込み、取り込んだ画像を画像記録部３５−２に記録させる。
【０１１９】
ステップＳ２２において、個体識別情報取得部５３は、ユーザにより入力された個体識別情報を入力部３１から供給される信号に基づいて取得し、取得した個体識別情報を、取り込んだ画像とともに画像記録部３５−２に記録させる。
【０１２０】
次に、図９のフローチャートを参照して、画像の再生を行う画像再生装置３の処理について説明する。
【０１２１】
この処理は、画像記録部３５−２に記録されている画像の中から、再生対象の画像として所定の画像が選択されたときに開始される。再生対象の画像を指示する信号は入力部３１から撮影時刻情報取得部５４と画像再生部５６に入力される。
【０１２２】
ステップＳ３１において、撮影時刻情報取得部５４は、再生対象の画像に付されている撮影時刻の情報と、再生対象の画像を取り込むときにユーザにより入力された個体識別情報を画像記録部３５−２から取得し、取得した情報を撮影位置特定部５５に出力する。
【０１２３】
ステップＳ３２において、撮影位置特定部５５は、撮影時刻情報取得部５４から供給されたものと同じ個体識別情報に対応付けて記録されている位置情報と時刻情報を位置記録部３５−１から読み出す。
【０１２４】
ステップＳ３３において、撮影位置特定部５５は、位置記録部３５−１から読み出した時刻情報と、撮影時刻情報取得部５４から供給された撮影時刻の情報とのマッチングを行い、再生対象の画像の撮影時刻と同じ時刻、または最も近い時刻を表す時刻情報を選択する。撮影位置特定部５５は、位置記録部３５−１から読み出した位置情報により表される位置のうち、選択した時刻情報によって表される時刻に認識された位置を、再生対象の画像の撮影位置として特定し、特定した撮影位置の情報を画像再生部５６に出力する。
【０１２５】
ステップＳ３４において、画像再生部５６は、再生対象の画像とともに、撮影位置特定部５５により特定された撮影位置に関する情報をテレビジョン受像機４に表示させ、処理を終了させる。
【０１２６】
以上の処理により、画像再生装置３は、ユーザＡ、ユーザＢなどの複数のユーザによって撮影されたそれぞれの画像の撮影位置を特定することができる。
【０１２７】
図１０は、テレビジョン受像機４に表示される画面の例を示す図である。
【０１２８】
画像７１は、サムネイル画像７２乃至７５の中から選択された再生対象の画像であり、サムネイル画像７２乃至７５より大きく表示されている。ユーザは、拡大表示させる画像を、リモートコントローラを操作するなどしてサムネイル画像７２乃至７５の中から選択することができるようになされている。
【０１２９】
画像７１の右隣に表示されている地図７６は、画像７１の撮影位置として特定された位置を含む所定の範囲の地図であり、地図記録部３５−３に記録されている地図情報に基づいて表示される。地図７６においては、画像７１の撮影位置として特定された位置に黒丸のマークが付されている。地図７６の表示は、再生対象とする画像が切り換えられる毎に、切り換え後の画像の撮影位置として特定された位置を含む範囲となるように切り換えられる。
【０１３０】
これにより、ユーザは、自分が撮影した画像を見ながら、その撮影位置を確認することができる。
【０１３１】
なお、地図と並べて画像が表示されるのではなく、地図が大きく表示され、撮影位置に対応する地図上の位置に再生対象の画像が表示されるようにしてもよい。
【０１３２】
また、複数の画像を一度に再生する場合、１つの画像を再生対象としたときと同じ処理が順次繰り返されることによってそれぞれの画像の撮影位置が特定され、特定された撮影位置に対応する地図上の位置に、再生対象のそれぞれの画像が表示される。この場合、地図は、全ての画像の撮影位置を含む範囲のものになるように縮尺が制御される。
【０１３３】
さらに、撮影位置の周辺にある観光施設や店舗、周辺の歴史、周辺で行われるイベントなどのWeb上にある情報の検索が撮影位置の周辺の名称をキーワードとして行われ、検索された情報が地図とともに撮影位置に関する情報として表示されるようにしてもよい。これにより、画像を見るときの楽しみが増すことになる。地図を表示するときに用いられる地図情報として、画像再生装置３内のハードディスクに記録されている情報ではなく、ネットワークを介して接続されるWebサーバが公開する地図情報が用いられるようにしてもよい。
【０１３４】
以上においては、位置認識装置１により認識された位置を表す位置情報が、位置認識装置１内に一時的に記録された後、ユーザが画像の再生を行うのに用いる画像再生装置３に送信され、画像再生装置３内のハードディスクに記録されるものとしたが、画像再生装置３ではなく、位置認識装置１と画像再生装置３の双方と通信を行うことが可能な他の装置に送信され、記録されるようにしてもよい。
【０１３５】
この場合、画像再生装置３に取り込まれた画像の撮影位置の特定は、その、位置情報が記録されている他の装置により行われ、特定された位置に関する情報が画像再生装置３に通知される。
【０１３６】
図１１は、本発明の一実施形態に係る他の情報処理システムの構成例を示す図である。図１と同じ構成には同じ符号を付してある。重複する説明については適宜省略する。
【０１３７】
図１１の情報処理システムは、位置認識装置１Ａおよび１Ｂ、デジタルカメラ２Ａおよび２Ｂ、画像再生装置３、テレビジョン受像機４、位置情報記録装置８１から構成される。
【０１３８】
位置情報記録装置８１は、例えば、携帯電話機である位置認識装置１の通信事業者（キャリア）が管理する装置であり、通信事業者が管理するサーバ施設などに設置される。位置情報記録装置８１は、位置認識装置１から送信されてきた位置情報と時刻情報を、位置認識装置１の個体識別情報と対応付けて内部のハードディスクに記録する。
【０１３９】
また、位置情報記録装置８１は、再生対象の画像の撮影時刻の情報と、その画像を取り込むときにユーザにより入力された個体識別情報が画像再生装置３から送信されてきたとき、ハードディスクに記録している位置情報、時刻情報、個体識別情報と、画像再生装置３から送信されてきた個体識別情報、撮影時刻の情報に基づいて、図１の情報処理システムにおいて画像再生装置３が行っていたのと同様にして、画像再生装置３において再生対象になっている画像の撮影位置を特定する。
【０１４０】
位置情報記録装置８１は、特定した撮影位置の情報を画像再生装置３に送信する。
【０１４１】
画像再生装置３においては、ユーザにより指示された画像が再生され、画像とともに、位置情報記録装置８１により特定された撮影位置に関する情報がテレビジョン受像機４に表示される。
【０１４２】
このように、図１１の位置情報記録装置８１は、基本的に、位置情報認識装置１から送信されてきた位置情報などを管理する機能と、撮影位置を特定する機能を実現する構成を図１の画像再生装置３から分離させた構成を有している。
【０１４３】
位置情報が画像再生装置３ではなく、通信事業者が管理するサーバ施設などに設置される位置情報記録装置８１に記録されるようにすることにより、ユーザは、位置情報などの送信先として、画像再生装置３の電子メールアドレスやIPアドレスを位置認識装置１にあらかじめ設定しておく必要がない。すなわち、位置認識装置１が携帯電話機である場合には、通信事業者が管理するサーバ施設との通信が可能となるようにユーザに渡される前に位置認識装置１の設定が行われているため、ユーザは位置情報を送信するための設定を自ら行う必要がない。
【０１４４】
また、位置認識装置１から位置情報が送信されてくる毎にそれを受信させ、記録させる必要がないため、ユーザは、画像再生装置３の電源を常に入れておく必要がない。
【０１４５】
さらに、位置情報記録装置８１から送信された撮影位置に関する情報を受信する機能と、画像を再生する機能を有する一般的なコンピュータと同様の機能を有する装置によって画像再生装置３を実現することが可能となる。
【０１４６】
以上のようにして位置情報記録装置８１により撮影位置の特定が行われ、画像再生装置３により画像の再生が行われるまでの図１１の情報処理システムの一連の処理についてはフローチャートを参照して後述する。
【０１４７】
図１２は、図１１の位置情報記録装置８１の構成例を示すブロック図である。なお、図１１の位置認識装置１は、図２に示される構成と同じ構成を有している。
【０１４８】
図１２の位置情報制御部９１は、位置情報記録装置８１の全体の動作を制御する。
【０１４９】
例えば、位置情報制御部９１は、位置認識装置１から送信されてきた位置情報、時刻情報、個体識別情報が受信部９２−２において受信されたとき、受信された位置情報、時刻情報を、個体識別情報と対応付けて記録部９３の位置記録部９３−１に記録させる。
【０１５０】
また、位置情報制御部９１は、再生対象の画像の撮影時刻の情報と個体識別情報が画像再生装置３から送信され、受信部９２−２において受信されたとき、受信された撮影時刻の情報、個体識別情報、および、位置記録部９３−１に記録されている情報に基づいて、画像再生装置３において再生対象になっている画像の撮影位置を特定する。
【０１５１】
位置情報制御部９１は、特定した撮影位置の情報を送信部９２−１に出力し、ネットワークを介して画像再生装置３に送信させる。位置情報制御部９１においては、画像再生装置３を指定する電子メールアドレス、IPアドレスの情報などが保持されており、撮影位置に関する情報を送信するときに送信部９２−１により用いられる。
【０１５２】
例えば、撮影位置を含む所定の範囲の地図の情報が地図記録部９３−２から読み出され、撮影位置にマークなどを付した地図が、撮影位置に関する情報として画像再生装置３に送信される。
【０１５３】
通信部９２は送信部９２−１と受信部９２−２から構成される。
【０１５４】
送信部９２−１は、位置情報制御部９１による制御に従って、再生対象になっている画像の撮影位置に関する情報を画像再生装置３に送信する。
【０１５５】
受信部９２−２は、位置認識装置１から送信されてきた位置情報、時刻情報、個体識別情報や、画像再生装置３から送信されてきた再生対象の画像の撮影時刻の情報、個体識別情報を受信し、受信した情報を位置情報制御部９１に出力する。
【０１５６】
記録部９３はハードディスクなどよりなり、位置記録部９３−１、地図記録部９３−２から構成される。
【０１５７】
位置記録部９３−１は、位置情報制御部９１から供給される毎に、位置情報、時刻情報を個体識別情報と対応付けて記録する。位置記録部９３−１に記録されている情報は、画像再生装置３において再生対象になっている画像の撮影位置を特定するときに位置情報制御部９１により読み出される。
【０１５８】
地図記録部９３−２は地図情報を記録する。地図記録部９３−２に記録されている地図情報は、撮影位置を示した地図を画像再生装置３に送信するときに位置情報制御部９１により読み出される。
【０１５９】
図１３は、位置情報記録装置８１の機能構成例を示すブロック図である。図１３に示す機能部のうちの少なくとも一部は、図１２の位置情報制御部９１により所定のプログラムが実行されることによって実現される。図１３には、図１２の記録部９３の構成も示されている。
【０１６０】
図１３に示されるように、位置情報記録装置８１においては、位置情報取得部１１１、撮影時刻情報取得部１１２、個体識別情報取得部１１３、撮影位置特定部１１４、および撮影位置情報生成部１１５が実現される。
【０１６１】
位置情報取得部１１１は、位置認識装置１から送信され、受信部９２−２において受信された位置情報、時刻情報、個体識別情報を取得し、位置情報、時刻情報を、図５に示されるように個体識別情報と対応付けて位置記録部９３−１に記録させる。
【０１６２】
撮影時刻情報取得部１１２は、画像再生装置３から送信され、受信部９２−２において受信された再生対象の画像の撮影時刻の情報を取得し、取得した撮影時刻の情報を撮影位置特定部１１４に出力する。
【０１６３】
個体識別情報取得部１１３は、画像再生装置３から送信され、受信部９２−２において受信された個体識別情報を取得し、取得した個体識別情報を撮影位置特定部１１４に出力する。画像再生装置３からは、再生対象になっている画像を取り込むときにユーザにより入力された個体識別情報が送信されてくる。
【０１６４】
撮影位置特定部１１４は、撮影時刻情報取得部１１２から供給された撮影時刻の情報、個体識別情報取得部１１３から供給された個体識別情報、および、位置記録部９３−１に記録されている位置情報、時刻情報、個体識別情報に基づいて、画像再生装置３において再生対象になっている画像の撮影位置を特定する。
【０１６５】
具体的には、撮影位置特定部１１４は、個体識別情報取得部１１３から供給されたものと同じ個体識別情報に対応付けて記録されている位置情報と時刻情報を位置記録部９３−１から読み出し、読み出した時刻情報と、撮影時刻情報取得部１１２から供給された、再生対象の画像の撮影時刻の情報とのマッチングを行う。
【０１６６】
撮影位置特定部１１４は、再生対象の画像の撮影時刻と同じ時刻、または最も近い時刻を表す時刻情報を選択し、位置記録部９３−１から読み出した位置情報により表される位置のうち、選択した時刻情報によって表される時刻に認識された位置を、再生対象の画像の撮影位置として特定する。
【０１６７】
撮影位置特定部１１４は、特定した撮影位置の情報を撮影位置情報生成部１１５に出力する。
【０１６８】
撮影位置情報生成部１１５は、再生対象の画像の撮影位置を含む所定の範囲の地図の情報を地図記録部９３−２から読み出し、撮影位置にマークなどを付した地図を、撮影位置に関する情報として生成する。撮影位置情報生成部１１５は、電子メールアドレス、IPアドレスなどの画像再生装置３を指定する情報を送信部９２−１に出力し、その情報に基づいて、生成した情報を送信させる。
【０１６９】
図１４は、図１１の画像再生装置３の構成例を示すブロック図である。
【０１７０】
図１１の画像再生装置３は、位置情報と地図情報が記録部１０５に記録されない点を除いて、基本的に、図３に示される構成と同じ構成を有している。
【０１７１】
入力部１０１は、リモートコントローラの受光部やUSB端子などにより構成される。入力部１０１は、リモートコントローラを用いてユーザにより入力された個体識別情報や画像の再生の指示などを表す信号を制御部１０３に出力する。また、入力部１０１には、USBケーブルを介してデジタルカメラ２が接続される。
【０１７２】
表示部１０２は、制御部１０３による制御に従って、画像などをテレビジョン受像機４に表示させる。
【０１７３】
制御部１０３は、画像再生装置３の全体の動作を制御する。
【０１７４】
例えば、制御部１０３は、デジタルカメラ２が接続されたとき、デジタルカメラ２に記録されている画像を入力部１０１を制御して取り込み、ユーザにより入力された個体識別情報とともに画像記録部１０５−１に記録させる。
【０１７５】
制御部１０３は、画像記録部１０５−１に記録されている画像の中から所定の画像を再生することが指示されたとき、再生対象の画像の撮影時刻の情報と、その画像を取り込むときにユーザにより入力された個体識別情報を送信部１０４−１に出力し、それらの情報を位置情報記録装置８１に送信させる。制御部１０３には、位置情報記録装置８１を指定するIPアドレスなどの情報が設定されており、この情報に基づいて情報の送信が行われる。
【０１７６】
制御部１０３は、特定された撮影位置に関する情報が位置情報記録装置８１から送信され、受信部１０４−２において受信されたとき、受信された情報を取得する。
【０１７７】
制御部１０３は、再生した画像とともに、位置情報記録装置８１により特定された撮影位置に関する情報を表示部１０２を制御してテレビジョン受像機４に表示させる。
【０１７８】
通信部１０４は送信部１０４−１と受信部１０４−２から構成される。
【０１７９】
送信部１０４−１は、制御部１０３による制御に従って、制御部１０３から供給された撮影時刻の情報と個体識別情報を位置情報記録装置８１に送信する。
【０１８０】
受信部１０４−２は、位置情報記録装置８１から送信されてきた撮影位置に関する情報を受信し、受信した情報を制御部１０３に出力する。
【０１８１】
記録部１０５はハードディスクなどよりなり、画像記録部１０５−１から構成される。
【０１８２】
画像記録部１０５−１は、デジタルカメラ２から取り込まれ、制御部１０３を介して供給された画像と、画像を取り込むときにユーザにより入力された個体識別情報を記録する。
【０１８３】
図１５は、図１１の画像再生装置３の機能構成例を示すブロック図である。図１５に示す機能部のうちの少なくとも一部は、図１４の制御部１０３により所定のプログラムが実行されることによって実現される。図１５には、図１４の記録部１０５の構成も示されている。
【０１８４】
図１５に示されるように、図１１の画像再生装置３においては、画像取り込み部１２１、個体識別情報取得部１２２、情報生成部１２３、撮影時刻情報取得部１２４、位置情報取得部１２５、および画像再生部１２６が実現される。
【０１８５】
画像取り込み部１２１は、画像再生装置３に接続されたデジタルカメラ２に記録されている画像を取り込み、取り込んだ画像を画像記録部１０５−１に記録させる。
【０１８６】
個体識別情報取得部１２２は、画像の取り込み時に入力された個体識別情報を入力部１０１から供給される信号に基づいて取得し、取得した個体識別情報を画像とともに画像記録部１０５−１に記録させる。ユーザは、画像を画像再生装置３に取り込むとき、撮影時に自身が携帯していた位置認識装置１の個体識別情報をリモートコントローラを操作するなどして入力する必要がある。
【０１８７】
情報生成部１２３は、撮影時刻情報取得部１２４から供給された撮影時刻の情報と個体識別情報を含む、再生対象の画像の撮影位置の特定を要求する情報を生成する。情報生成部１２３は、生成した情報を送信部１０４−１に出力し、位置情報記録装置８１に送信させる。
【０１８８】
撮影時刻情報取得部１２４は、画像の再生を指示することを表す信号が入力部１０１から供給されたとき、再生対象の画像の撮影時刻の情報と、その画像を取り込むときにユーザにより入力された個体識別情報を画像記録部１０５−１から取得し、取得した情報を情報生成部１２３に出力する。
【０１８９】
位置情報取得部１２５は、特定された撮影位置に関する情報が位置情報記録装置８１から送信され、受信部１０４−２において受信されたとき、受信された情報を取得し、取得した情報を画像再生部１２６に出力する。
【０１９０】
画像再生部１２６は、画像の再生を指示することを表す信号が入力部１０１から供給されたとき、再生対象の画像を画像記録部１０５−１から読み出して再生し、再生した画像を表示部１０２を制御してテレビジョン受像機４に表示させる。
【０１９１】
また、画像再生部１２６は、位置情報取得部１２５から供給された撮影位置に関する情報に基づいて、撮影位置にマークを付した地図などを、撮影位置に関する情報として画像とともに表示させる。
【０１９２】
次に、以上のような構成を有する各装置の処理について説明する。
【０１９３】
はじめに、図１６のフローチャートを参照して、位置認識装置１から送信されてきた位置情報などを受信する位置情報記録装置８１の処理について説明する。
【０１９４】
図１６の処理は、図７を参照して説明した位置認識装置１の処理と同様の処理である。図１１の位置認識装置１においても、図６を参照して説明した処理と同じ処理が行われ、位置情報、時刻情報、個体識別情報が位置情報記録装置８１に対して送信される。
【０１９５】
ステップＳ５１において、通信部９２の受信部９２−２は、位置情報、時刻情報、個体識別情報が位置認識装置１から送信されてきたか否かを判定し、送信されてきたと判定するまで待機する。
【０１９６】
位置情報、時刻情報、個体識別情報が位置認識装置１から送信されてきたとステップＳ５１において判定した場合、ステップＳ５２において、受信部９２−２は、送信されてきたそれらの情報を受信する。
【０１９７】
ステップＳ５３において、位置情報取得部１１１（図１３）は、受信部９２−２において受信された位置情報、時刻情報、個体識別情報を取得し、取得した位置情報と時刻情報を、個体識別情報と対応付けて位置記録部９３−１に記録させる。
【０１９８】
その後、ステップＳ５１に戻り、同様の処理が繰り返される。位置認識装置１から送信されてくる毎に、位置情報と時刻情報が個体識別情報と対応付けて記録され、位置記録部９３−１には図５に示されるようなデータベースが構築される。
【０１９９】
次に、図１７のフローチャートを参照して、再生対象の画像の撮影位置を特定する位置情報記録装置８１の処理について説明する。
【０２００】
この処理は、再生対象の画像の撮影時刻の情報と、その画像を取り込むときにユーザにより入力された個体識別情報が画像再生装置３から送信されてきたときに開始される
【０２０１】
ステップＳ６１において、撮影時刻情報取得部１１２は、受信部９２−２において受信された撮影時刻の情報を取得し、個体識別情報取得部１１３は、受信部９２−２において受信された個体識別情報を取得する。撮影時刻情報取得部１１２により取得された撮影時刻の情報と、個体識別情報取得部１１３により取得された個体識別情報は撮影位置特定部１１４に出力される。
【０２０２】
ステップＳ６２において、撮影位置特定部１１４は、個体識別情報取得部１１３から供給されたものと同じ個体識別情報に対応付けて記録されている位置情報と時刻情報を位置記録部９３−１から読み出す。
【０２０３】
ステップＳ６３において、撮影位置特定部１１４は、位置記録部９３−１から読み出した時刻情報と、撮影時刻情報取得部１１２から供給された撮影時刻の情報とのマッチングを行い、再生対象の画像の撮影時刻と同じ時刻、または最も近い時刻を表す時刻情報を選択する。撮影位置特定部１１４は、位置記録部９３−１から読み出した位置情報により表される位置のうち、選択した時刻情報によって表される時刻に認識された位置を、再生対象の画像の撮影位置として特定し、特定した撮影位置の情報を撮影位置情報生成部１１５に出力する。
【０２０４】
ステップＳ６４において、撮影位置情報生成部１１５は、地図記録部９３−２に記録されている情報などに基づいて、撮影位置特定部１１４により特定された撮影位置にマークなどを付した地図を撮影位置に関する情報として生成し、送信部９２−１に出力して画像再生装置３に送信させる。ここで送信された情報に基づいて、撮影位置に関する情報が画像再生装置３において表示される。
【０２０５】
以上の処理により、位置情報記録装置８１は、ユーザＡ、ユーザＢなどの複数のユーザによって撮影されたそれぞれの画像の撮影位置を特定することができる。
【０２０６】
次に、図１８のフローチャートを参照して、画像の再生を行う画像再生装置３の処理について説明する。
【０２０７】
この処理は、図８を参照して説明した処理と同様の処理が行われ、取り込まれた画像と個体識別情報が画像記録部１０５−１に記録されている状態で行われる。
【０２０８】
画像記録部１０５−１に記録されている画像の中から、再生対象の画像として所定の画像が選択された場合、ステップＳ７１において、撮影時刻情報取得部１２４は、再生対象の画像に付されている撮影時刻の情報と、再生対象の画像を取り込むときにユーザにより入力された個体識別情報を画像記録部１０５−１から取得し、取得した情報を情報生成部１２３に出力する。
【０２０９】
ステップＳ７２において、情報生成部１２３は、撮影時刻情報取得部１２４から供給された撮影時刻の情報と個体識別情報を含む、再生対象の画像の撮影位置の特定を要求する情報を生成し、生成した情報を送信部１０４−１に出力して位置情報記録装置８１に送信させる。
【０２１０】
ステップＳ７３において、受信部１０４−２は、撮影位置に関する情報が位置情報記録装置８１から送信されてきたか否かを判定し、送信されてきたと判定するまで待機する。
【０２１１】
撮影位置に関する情報が位置情報記録装置８１から送信されてきたとステップＳ７３において判定した場合、ステップＳ７４において、受信部１０４−２は、送信されてきた情報を受信する。受信部１０４−２により受信された撮影位置に関する情報は、位置情報取得部１２５により取得され、画像再生部１２６に出力される。
【０２１２】
ステップＳ７５において、画像再生部１２６は、再生対象の画像とともに、位置情報取得部１２５から供給された撮影位置に関する情報をテレビジョン受像機４に表示させ、処理を終了させる。
【０２１３】
以上のような処理によっても、ユーザは、自分が撮影した画像を見ながら、その撮影位置を確認することができる。
【０２１４】
以上においては、地図情報も位置情報記録装置８１に記録されているものとしたが、図１９に示されるように、記録部１０５に地図記録部１０５−２が含まれ、画像再生装置３内に地図情報が記録されているようにしてもよい。
【０２１５】
この場合、特定された画像の撮影位置を表す緯度経度の情報だけが位置情報記録装置８１から画像再生装置３に送信され、画像再生装置３において、撮影位置を含む範囲の地図が地図記録部１０５−２に記録されている地図情報に基づいて表示される。
【０２１６】
以上のように、位置認識装置１により認識された位置を表す位置情報などが、位置認識装置１内には一時的に記録されるだけで、所定のタイミングで画像再生装置３や位置情報記録装置８１に送信され、自宅や、通信事業者が管理するサーバ施設に設置されている送信先の装置内のハードディスクなどに記録されるようにしたため、一般的な携帯電話機などに搭載されるフラッシュメモリと較べて安価で大容量の媒体を位置情報の記録媒体として使用することが可能となる。
【０２１７】
位置認識装置１内のフラッシュメモリに位置情報を記録させておき、画像の取り込みを行うときに、位置情報と時刻情報を位置認識装置１から画像再生装置３に取り込むことによっても、上述したような撮影位置の特定が可能となるが、この場合、ユーザは、撮影に出かけようとするたびに、位置認識装置１のフラッシュメモリの空き容量を気にする必要がある。
【０２１８】
また、位置認識装置１として、位置認識機能を有する携帯電話機を用いることにより、ユーザは、撮影に出かけるときに、位置認識機能を有する専用の端末を携帯電話機とは別に携帯する必要がない。
【０２１９】
通常、携帯電話機などの毎日携帯するような装置についてはユーザは頻繁に充電させておくものと考えられるから、いざ撮影に出かけようとするときに、位置認識機能を有する専用の端末のバッテリの残り容量が少なくなっていて困るといったこともなくなる。すなわち、撮影に出かけるイベントの準備として、デジタルカメラの充電とは別に、位置認識機能を有する専用の端末の充電を行うといった面倒な手間を省くことができる。
【０２２０】
さらに、既に広く普及している位置認識機能を搭載した携帯電話機などを用いて画像の撮影位置を特定することができるようにすることにより、システムの普及を早めることができ、図１１の位置情報記録装置８１の機能を画像再生装置３のユーザに提供するといったサービスを提供しようとする事業者も、サービスの提供にかかる費用を安く抑えることができる。
【０２２１】
以上においては、撮影位置の特定が、画像の再生が指示されたときに行われるとしたが、画像の再生が指示される前にあらかじめ行われているようにしてもよい。あらかじめ特定された撮影位置の情報は、画像と対応付けて管理され、画像の再生が指示されたときに用いられる。
【０２２２】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２２３】
図２０は、上述した一連の処理をプログラムにより実行するコンピュータのハードウェアの構成例を示すブロック図である。
【０２２４】
CPU(Central Processing Unit)２０１，ROM(Read Only Memory)２０２，RAM(Random Access Memory)２０３は、バス２０４により相互に接続されている。
【０２２５】
バス２０４には、さらに、入出力インターフェース２０５が接続されている。入出力インターフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【０２２６】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０２２７】
CPU２０１が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。プログラムは、ROM２０２や記憶部２０８に、あらかじめインストールしておくことができる。
【０２２８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２２９】
本発明の実施の形態は、上述した実施の形態に限定されるものではなく、本発明の要旨を逸脱しない範囲において種々の変更が可能である。
【図面の簡単な説明】
【０２３０】
【図１】本発明の一実施形態に係る情報処理システムの構成例を示す図である。
【図２】図１の位置認識装置の構成例を示すブロック図である。
【図３】図１の画像再生装置の構成例を示すブロック図である。
【図４】画像再生装置の機能構成例を示すブロック図である。
【図５】位置記録部に記録される情報の例を示す図である。
【図６】位置認識装置の位置認識処理について説明するフローチャートである。
【図７】画像再生装置の位置情報受信処理について説明するフローチャートである。
【図８】画像再生装置の画像取り込み処理について説明するフローチャートである。
【図９】画像再生装置の画像再生処理について説明するフローチャートである。
【図１０】表示画面の例を示す図である。
【図１１】本発明の一実施形態に係る他の情報処理システムの構成例を示す図である。
【図１２】図１１の位置情報記録装置の構成例を示すブロック図である。
【図１３】位置情報記録装置の機能構成例を示すブロック図である。
【図１４】図１１の画像再生装置の構成例を示すブロック図である。
【図１５】画像再生装置の機能構成例を示すブロック図である。
【図１６】位置情報記録装置の位置情報受信処理について説明するフローチャートである。
【図１７】位置情報記録装置の撮影位置特定処理について説明するフローチャートである。
【図１８】画像再生装置の画像再生処理について説明するフローチャートである。
【図１９】図１１の画像再生装置の他の構成例を示すブロック図である。
【図２０】パーソナルコンピュータの構成例を示すブロック図である。
【符号の説明】
【０２３１】
１Ａ，１Ｂ  位置認識装置，  ２Ａ，２Ｂ  デジタルカメラ，  ３  画像再生装置，  ４  テレビジョン受像機，  １１  個体識別情報保持部，  １２  送信部，  １３  制御部，  １４  位置認識部，  １５  時計，  １６  設定情報保持部，  １７  一時記録部，  ３１  入力部，  ３２  表示部，  ３３  制御部，  ３４  通信部，  ３５  記録部，  ３５−１  位置記録部，  ３５−２  画像記録部，  ３５−３  地図記録部
【図１】
2008277892.tif 000003
【図２】
2008277892.tif 000004
【図３】
2008277892.tif 000005
【図４】
2008277892.tif 000006
【図５】
2008277892.tif 000007
【図６】
2008277892.tif 000008
【図７】
2008277892.tif 000009
【図８】
2008277892.tif 000010
【図９】
2008277892.tif 000011
【図１０】
2008277892.tif 000012
【図１１】
2008277892.tif 000013
【図１２】
2008277892.tif 000014
【図１３】
2008277892.tif 000015
【図１４】
2008277892.tif 000016
【図１５】
2008277892.tif 000017
【図１６】
2008277892.tif 000018
【図１７】
2008277892.tif 000019
【図１８】
2008277892.tif 000020
【図１９】
2008277892.tif 000021
【図２０】
2008277892.tif 000022